(57)【要約】【課題】幼児や体に障害のある子どもであっても、容易に弁当箱などを梱包することができる梱包用袋を提供すること。【解決手段】弁当箱などの物を梱包するための梱包用袋１は、物を格納する袋本体部２と、袋本体部２に第一基部４及び第二基部６を介して袋本体部２に接続される一対の把持部８と、を有し、梱包用袋１の正面視において、一対の把持部８が対向する側は、把持部８の上方部に向かって徐々に一対の把持部８の間隔が広くなる曲線状に形成されており、把持部８の上方部に向かって徐々に各把持部８の幅が狭くなるように構成されている。【選択図】図４
0003208801.tif 000002
【実用新案登録請求の範囲】
【請求項１】
弁当箱などの物を梱包するための梱包用袋であって、
前記物を格納する袋本体部と、
前記袋本体部に第一基部及び第二基部を介して前記袋本体部に接続される一対の把持部と、
を有し、
前記梱包用袋の正面視において、一対の前記把持部が対向する側は、前記把持部の上方部に向かって徐々に一対の前記把持部の間隔が広くなる曲線状に形成されており、
前記把持部の上方部に向かって徐々に各前記把持部の幅が狭くなるように構成されている、
梱包用袋。
【請求項２】
一対の前記第一基部が対向する側は、前記袋本体部の底辺部に対して直線状に傾斜した形状に構成され、前記把持部の曲線状の形状は放物線状に形成され、前記第二基部において、前記第一基部の傾斜と前記把持部の傾斜が実質的に等しくなるように構成されている、
請求項１に記載の梱包用袋。
【考案の詳細な説明】
【技術分野】
【０００１】
本考案は、梱包用袋に関する。
【背景技術】
【０００２】
従来、物を搬送するための袋が工夫されているが（例えば、特許文献１）、弁当箱などを梱包して搬送するために、ハンカチなどの布が利用されている。より便利な物として、あずま袋が利用されている。図１１は、あずま袋を示す概略図である。あずま袋１００に弁当箱を梱包するためには、袋本体１０２の内部に弁当箱を入れた状態で、正面視で略三角形状の一対の把持部１０４を把持し、把持部１０４を指でたぐって、細くまとめる必要がある。そして、一対の把持部１０４を交差させて、一方の把持部１０４の先端部を他方の把持部１０４の裏側に回したうえで、手前に持ってくるという操作が必要である。
【先行技術文献】
【特許文献】
【０００３】
【特許文献１】特開平７−２０６０４６
【考案の概要】
【考案が解決しようとする課題】
【０００４】
上述のあずま袋の操作は、通常の大人であれば、困難ではないが、手の小さな幼児や体に障害のある子どもにとっては、困難な操作である。ハンカチなどの矩形の布を利用して弁当箱を梱包する作業は、あずま袋よりもさらに困難である。
【０００５】
本考案はかかる問題の解決を試みたものであり、幼児や体に障害のある子どもであっても、容易に弁当箱などを梱包することができる梱包用袋の提供を目的とする。
【課題を解決するための手段】
【０００６】
第一の考案は、弁当箱などの物を梱包するための梱包用袋であって、前記物を格納する袋本体部と、前記袋本体部に第一基部及び第二基部を介して前記袋本体部に接続される一対の把持部と、を有し、前記梱包用袋の正面視において、一対の前記把持部が対向する側は、前記把持部の上方部に向かって徐々に一対の前記把持部の間隔が広くなる曲線状に形成されており、前記把持部の上方部に向かって徐々に各前記把持部の幅が狭くなるように構成されている、梱包用袋である。
【０００７】
第一の考案の構成によれば、梱包用袋の把持部は、上方部に向かって徐々に幅が狭くなるように構成されているから、幼児や体に障害のある子どもであっても、把持部の端部近傍を把持することができる。さらに、一対の把持部の対向する側は曲線状に形成されているから、一方の把持部の端部を他方の把持部の端部近傍に交差させると、一対の把持部の間に楕円状の空間が生じる。一方の把持部の端部をこの楕円状の空間を通し、一対の把持部を結ぶことは容易である。これにより、幼児や体に障害のある子どもであっても、容易に弁当箱などを梱包することができる。
【０００８】
第二の考案は、第一の考案の構成において、一対の前記第一基部が対向する側は、前記袋本体部の底辺部に対して直線状に傾斜した形状に構成され、前記把持部の曲線状の形状は放物線状に形成され、前記第二基部において、前記第一基部の傾斜と前記把持部の傾斜が実質的に等しくなるように構成されている、梱包用袋である。
【考案の効果】
【０００９】
以上のように、本考案によれば、幼児や体に障害のある子どもであっても、容易に弁当箱などを梱包することができる梱包用袋を提供することができる。
【図面の簡単な説明】
【００１０】
【図１】本考案の実施形態の梱包用袋の概略斜視図である。
【図２】梱包用袋の概略斜視図である。
【図３】梱包用袋の概略斜視図である。
【図４】梱包用袋の概略正面図である。
【図５】梱包用袋の概略側面図である。
【図６】梱包用袋の型紙の概略図である。
【図７】梱包する工程を示す概略図である。
【図８】梱包する工程を示す概略図である。
【図９】梱包する工程を示す概略図である。
【図１０】梱包する工程を示す概略図である。
【図１１】従来のあずま袋を示す概略図である。
【考案を実施するための形態】
【００１１】
本考案の実施形態を、図面を参照して説明する。なお、当業者が適宜実施できる構成については説明を省略し、本考案の基本的な構成についてのみ説明する。
【００１２】
図１乃至図５に示す梱包用袋１は、弁当箱などの物を梱包するための梱包用袋である。基本的な構成は「あずま袋」と呼ばれるものであり、梱包用袋１は、あずま袋を改良したものである。梱包用袋１は、物を格納する袋本体部２、第一基部４、第二基部６及び一対の把持部８で構成される。把持部８は、第一基部４及び第二基部６を介して袋本体部２に接続されている。袋本体部２に、例えば、弁当箱２０（図３参照）を格納した状態で、左右の把持部８、第一基部４及び第二基部６が結ばれる。弁当箱２０は、梱包用袋１に格納される物の一例である。
【００１３】
図４に示すように、梱包用袋１の正面視において、一対の把持部８が対向する側は、曲線状に形成されており、把持部傾斜部８ｂとなっている。
【００１４】
一対の把持部８が対向する側と反対側は、直線状に形成された把持部直線部８ｃとなっている。把持部直線部８ｃが直線状で、把持部傾斜部８ｂが上述の曲線状に形成されているから、把持部８は、把持部８の上方部、すなわち、端部８ａに向かって徐々に幅が狭くなる。端部８ａ近傍の幅は、図４の正面視で約４ｍｍ〜１０ｍｍである。端部８ａ近傍の幅は、図５の側面視では、約８ｍｍ〜１５ｍｍである。図４に示す正面図では、正面側の端部８ａだけが示されている。これに対して、図５の側面視においては、正面側の端部８ａと裏面側（図示せず）の端部８ａの双方が示されているから、正面視よりも幅が広くなっている。端部８ａ近傍の幅は、手の小さな幼児や、体に障害のある子どもであっても、容易に把持することができる太さに形成されている。
【００１５】
上述の把持部傾斜部８ｂの曲線状の形状は、放物線状である。そして、第一基部４の傾斜部である第一傾斜部４ａは直線状に構成されている。袋本体部２の底辺と平行な線を仮定し、仮想線２ａ（図４参照）とすると、第一傾斜部４ａと仮想線２ａの角度θ１は、３５度〜５５度に形成され、本実施形態においては４０度である。第二基部６の傾斜部である第二傾斜部６ａにおいて、第一傾斜部４ａと把持部傾斜部８ｂが滑らかに接続している。すなわち、第二傾斜部６ａにおいて、第一傾斜部４ａの仮想線２ａに対する傾斜と把持部傾斜部８ｂの仮想線２ａに対する傾斜が実質的に等しくなるように構成されている。上記の２段階の傾斜が、滑らかに接続した構造に形成されていることによって、一対の把持部８ａを結ぶ工程の初期段階及び中期段階においては、把持部８同士が接しつつ、結び目部分が上方（端部８ａの方向）から下方（袋本体部２の方向）に向かって下方に滑らかに移動し、最終段階においては、一方の把持部傾斜部８ｂの付け根が他方の第一傾斜部４ａと接しつつ、結び目部分が下方に向かって移動して、しっかりと梱包することができるようになっている。
【００１６】
結び目が下方に移動する動きにおいて、一方の把持部傾斜部８ｂが、他方の把持部直線部８ｃ、把持部傾斜部８ｂ、第二傾斜部６ａ及び第一傾斜部４ａと接しつつ、矢印Ｘ１方向（図９参照）に引っ張られ、側方に移動する。ここで、傾斜部４ａを直線状ではなくて、把持部傾斜部８ｂの延長線の曲線状に形成する方が、結び目部分の下方への移動、すなわち、把持部傾斜部８が摺動するときの抵抗は少ないのであるが、把持部８は第一基部４及び第二基部６よりも十分に長く構成されているため、結び目部分が第二基部６の中間地点まで下方に移行すれば、既に下方へ向かう勢いがついているから、わずかに抵抗が大きくなったとしても、さらに下方に移動させることは容易である。また、傾斜部４ａを把持部傾斜部８ｂの延長線の傾斜にするのではなくて、第一傾斜部４ａを直線状に形成することによって、より多くの布の面積を形成することができるから、梱包が完了した状態において、内部に格納した弁当箱２０の一部が梱包用袋１から露出することを回避することができる。さらに、わずかに摺動の抵抗が大きくなることで、梱包作業が終了することを感覚的に察知させることができるようになっている。すなわち、第一基部４、第二基部６及び把持部８の傾斜部は、梱包用袋１による梱包動作を容易にする必要性と、弁当箱２０を露出することがなく梱包する必要性の双方を満たすものとして形成されており、さらに、結び目の下方への移動への抵抗がわずかに変化することによって、梱包作業の終了を使用者に察知させることができるようになっている。
【００１７】
上述の構成の梱包用袋１は、例えば、図６に示す型紙の形状に布を形成し、梱包用袋１の形状になるように、各部を縫い合わせることで製造することができる。
【００１８】
次に、弁当箱２０の格納方法を示す。まず、図４に示すように、弁当箱２０を袋本体部２に配置する。次に、一方の把持部８の端部８ａ近傍を片手で把持し、他方の把持部８の端部８ａ近傍をもう一方の片手で把持し、図７に示すように、一方の把持部８を他方の把持部８に交差させる。ここで、端部８ａの近傍は幅が細いから、指で手繰るような動作をすることなく、容易につまんで、双方の把持部８を交差させることができる。あるいは、小さな手の子供であれば、把持部８を握って、双方の把持部８を交差させることができる。双方の把持部８を交差させると、略楕円状の空間Ｓが形成される。
【００１９】
続いて、図８に示すように、手前の把持部８を他方の把持部８の把持部直線部８ｃを支点として折り、空間Ｓから手前に引き出す。ここで、図１１に示す従来例においては、一方の把持部１０４を他方の把持部１０４に交差させる工程にも複雑な手の動きを要するうえに、一対の把持部１０４を交差させた時に、把持部１０４同士の間に空間ができない、あるいは、空間ができても非常に狭い空間になるから、一方の把持部の端部を双方の把持部の間から引き出す作業も複雑な手の動きを要する。この点、本実施形態の梱包用袋１の把持部８は、把持部端部８ａ近傍を手でつまんだり、握ったりすることが容易であり、一方の把持部端部８ａを何ら変形させることなく、把持部８同士が形成する大きな略楕円状の空間Ｓから容易に手前に引き出すことができる。
【００２０】
続いて、図９に示すように、一方の把持部８の端部８ａを矢印Ｘ１方向に引っ張り、他方の端部８ａを矢印Ｘ２方向に引っ張る。そうすると、一方の把持部傾斜部８ｂが他方の把持部傾斜部８ｂと接触しつつ滑り、把持部８同士の接続部が、滑らかに下方（袋本体部２０の方向）へ移動する。このように、接続部が滑らかに下方へ移動する作用は、双方の把持部傾斜部８ｂが曲線状、より詳細には放物線状に構成されていることから可能になる。
【００２１】
図９の状態から、一方の端部８ａをさらに矢印Ｘ１方向へ引っ張り、他方の端部８ａをさらに矢印Ｘ２方向に引っ張ると、図１０に示すように、一対の把持部８の接続部が、第一基部４へ移行する。第一傾斜部４ａが直線状に形成されており、曲線状にするよりも大きな面積の布を使用することができるから、弁当箱２０を露出されることなく梱包することができる。梱包の最終段階においては、一方の把持部８の把持部傾斜部８ｂと、他方の把持部８側の第一傾斜部４ａが接することによって、摺動するときの抵抗がわずかに大きくなり、使用者に、梱包作業の終了を察知させることができるようになっている。
【００２２】
なお、本考案は、上記実施形態に限らず、本考案の要旨を逸脱しない範囲内において種々変更を加えることができる。
【符号の説明】
【００２３】
１  梱包用袋
２  袋本体部
４  第一基部
４ａ  第一傾斜部
６  第二基部
６ａ  第二傾斜部
８  把持部
８ａ  端部
８ｂ  把持部傾斜部
８ｃ  把持部直線部
２０  弁当箱
【図１】
0003208801.tif 000003
【図２】
0003208801.tif 000004
【図３】
0003208801.tif 000005
【図４】
0003208801.tif 000006
【図５】
0003208801.tif 000007
【図６】
0003208801.tif 000008
【図７】
0003208801.tif 000009
【図８】
0003208801.tif 000010
【図９】
0003208801.tif 000011
【図１０】
0003208801.tif 000012
【図１１】
0003208801.tif 000013